【手続補正書】
【提出日】平成17年11月29日(2005.11.29)
【手続補正１】
【補正対象書類名】明細書
【補正対象項目名】発明の名称
【補正方法】変更
【補正の内容】
【発明の名称】記録ヘッド及び当該記録ヘッドを有する記録装置及び記録ヘッドカートリッジ、記録ヘッド用基板
【手続補正２】
【補正対象書類名】明細書
【補正対象項目名】特許請求の範囲
【補正方法】変更
【補正の内容】
【特許請求の範囲】
【請求項１】
複数の記録素子と、
前記複数の記録素子のそれぞれに対応付けて設けられ、それぞれ対応する記録素子への通電を制御する複数のスイッチング回路と、
前記複数の記録素子を複数のグループに分割したグループ毎に設けられ、前記複数のグループのそれぞれに属する複数の記録素子に定電流を流すための定電流源と、
前記定電流源により供給される前記定電流を制御する電流制御回路と、
を有することを特徴とする記録ヘッド。
【請求項２】
前記定電流源はＭＯＳトランジスタを含み、前記電流制御回路は前記ＭＯＳトランジスタのゲート電位を制御することを特徴とする請求項１に記載の記録ヘッド。
【請求項３】
前記電流制御回路は、前記定電流源のＭＯＳトランジスタが飽和領域で動作するように、前記定電流源のＭＯＳトランジスタのゲート電圧を制御することを特徴とする請求項２に記載の記録ヘッド。
【請求項４】
前記定電流源はバイポーラトランジスタを含み、前記電流制御回路は前記バイポーラトランジスタのベース電位を制御することを特徴とする請求項１に記載の記録ヘッド。
【請求項５】
前記電流制御回路は、定電流回路とＭＯＳトランジスタとを有し、前記定電流回路の出力が前記電流制御回路のＭＯＳトランジスタのゲートと前記定電流源のＭＯＳトランジスタのゲートとに接続されていることを特徴とする請求項２に記載の記録ヘッド。
【請求項６】
前記電流制御回路と前記定電流回路とはカレントミラー回路を構成していることを特徴とする請求項５に記載の記録ヘッド。
【請求項７】
前記定電流源は、前記ＭＯＳトランジスタのドレインに、更に直列に接続されたＭＯＳトランジスタを含むことを特徴とする請求項２に記載の記録ヘッド。
【請求項８】
前記スイッチング回路のＭＯＳトランジスタの耐電圧は、前記定電流源のＭＯＳトランジスタの耐電圧よりも高いことを特徴とする請求項２に記載の記録ヘッド。
【請求項９】
前記複数の記録素子、複数のスイッチング回路、定電流源および電流制御回路は同じ基板設けられていることを特徴とする請求項１に記載の記録ヘッド。
【請求項１０】
前記複数のスイッチング回路と前記定電流源は共にＭＯＳトランジスタを含み、前記定電流源は前記ＭＯＳトランジスタのオン抵抗を制御することにより前記定電流を出力することを特徴とする請求項２に記載の記録ヘッド。
【請求項１１】
複数の記録素子を有する記録ヘッドと、当該記録ヘッドを搭載するためのキャリッジとを有する記録装置であって、
前記記録ヘッドは、
前記複数の記録素子のそれぞれに対応付けて設けられ、それぞれ対応する記録素子への通電を制御する複数のスイッチング回路と、
前記複数の記録素子を複数のグループに分割したグループ毎に設けられ、前記複数のグループのそれぞれに属する複数の記録素子に定電流を流すための定電流源と、
前記定電流源により供給される前記定電流を制御する電流制御回路とを有することを特徴とする記録装置。
【請求項１２】
複数の記録素子と、前記複数の記録素子のそれぞれに対応付けて設けられ、それぞれ対応する記録素子への通電を制御する複数のスイッチング回路と、前記複数の記録素子を複数のグループに分割したグループ毎に設けられ、前記複数のグループのそれぞれに属する記録素子に定電流を流すための定電流源と、前記定電流源により供給される前記定電流を制御する電流制御回路とを有する記録ヘッドと、
前記ヘッドに供給されるインクを保持するためのインクタンクとを有することを特徴とする記録ヘッドカートリッジ。
【請求項１３】
複数の記録素子を有する記録ヘッド用基板であって、
前記複数の記録素子のそれぞれに対応付けて設けられ、それぞれ対応する記録素子への通電を制御する複数のスイッチング回路と、
前記複数の記録素子を複数のグループに分割したグループ毎に設けられ、前記複数のグループのそれぞれに属する複数の記録素子に定電流を流すための定電流源と、
前記定電流源により供給される前記定電流を制御する電流制御回路と、
を有することを特徴とする記録ヘッド用基板。
【請求項１４】
前記記録素子と前記スイッチング回路と前記定電流源とは直列に接続されていることを特徴とする請求項１３に記載の基板。
【請求項１５】
前記記録素子に電力を供給するための第１及び第２電源ラインを有し、前記第１電源ラインに前記記録素子が電気的に接続されており、前記第２電源ラインに前記定電流源が接続されていることを特徴とする請求項１４に記載の基板。
【請求項１６】
前記定電流源はＭＯＳトランジスタを含み、前記電流制御回路は前記ＭＯＳトランジスタのゲート電位を制御する回路であることを特徴とする請求項１４に記載の基板。
【請求項１７】
前記電流制御回路は、前記定電流源のＭＯＳトランジスタが、飽和領域で動作するように、前記定電流源のＭＯＳトランジスタのゲート電圧を制御する回路であることを特徴とする請求項１６に記載の基板。
【請求項１８】
前記スイッチング回路のＭＯＳトランジスタの耐電圧は、前記定電流源のＭＯＳトランジスタの耐電圧よりも高い耐圧であることを特徴とする請求項１６に記載の基板。
【請求項１９】
前記複数のスイッチング回路と前記定電流源は共にＭＯＳトランジスタを含み、前記定電流源は前記ＭＯＳトランジスタのオン抵抗を制御することにより前記定電流を出力することを特徴とする請求項１６に記載の基板。
【手続補正３】
【補正対象書類名】明細書
【補正対象項目名】０００１
【補正方法】変更
【補正の内容】
【０００１】
【発明の属する技術分野】
本発明は、複数の記録素子を備える記録ヘッド及び当該記録ヘッドを有する記録装置及び記録ヘッドカートリッジ、記録ヘッド用基板に関するものである。
【手続補正４】
【補正対象書類名】明細書
【補正対象項目名】００１６
【補正方法】変更
【補正の内容】
【００１６】
本発明は上記従来例に鑑みてなされたもので、記録素子の同時駆動数が増加しても、高速でかつ安定した記録が可能な記録ヘッド及び当該記録ヘッドを有する記録装置及び記録ヘッドカートリッジ、記録ヘッド用基板を提供することを目的とする。
【手続補正５】
【補正対象書類名】明細書
【補正対象項目名】００１７
【補正方法】変更
【補正の内容】
【００１７】
【課題を解決するための手段】
上記目的を達成するために本発明の記録ヘッドは以下のような構成を有する。即ち、
複数の記録素子と、
前記複数の記録素子のそれぞれに対応付けて設けられ、それぞれ対応する記録素子への通電を制御する複数のスイッチング回路と、
前記複数の記録素子を複数のグループに分割したグループ毎に設けられ、前記複数のグループのそれぞれに属する複数の記録素子に定電流を流すための定電流源と、
前記定電流源により供給される前記定電流を制御する電流制御回路と、
を有することを特徴とする。
【手続補正６】
【補正対象書類名】明細書
【補正対象項目名】００２１
【補正方法】変更
【補正の内容】
【００２１】
ブロックａの場合でみると、ＭＯＳトランジスタ１０２a1〜１０２axのそれぞれは、ヒータ１０１a1〜１０１axの内の対応する各ヒータに直列に接続され、その直列に接続されている各ヒータへの電流の通電／非通電を制御している。即ち、ＭＯＳトランジスタ１０２a1〜１０２axの各ソースとヒータ１０１a1〜１０１axのそれぞれとが接続され、ＭＯＳトランジスタ１０２a1〜１０２axのドレイン端子はそれぞれ共通に定電流源１０３ａに接続されている。またヒータ１０１a1〜１０１axのそれぞれの一端も共通に電源ライン１０８に接続されている。ここで、ＭＯＳトランジスタ１０２a1〜１０２axは、ヒータ１０１a1〜１０１axの第１駆動用スイッチである。このような構成は他のブロックｂ〜ｍにおいても同様である。
【手続補正７】
【補正対象書類名】明細書
【補正対象項目名】００７６
【補正方法】削除
【補正の内容】
【手続補正８】
【補正対象書類名】明細書
【補正対象項目名】００７７
【補正方法】削除
【補正の内容】
【手続補正９】
【補正対象書類名】明細書
【補正対象項目名】００７８
【補正方法】削除
【補正の内容】
【手続補正１０】
【補正対象書類名】明細書
【補正対象項目名】００７９
【補正方法】削除
【補正の内容】
【手続補正１１】
【補正対象書類名】明細書
【補正対象項目名】００８０
【補正方法】削除
【補正の内容】
【手続補正１２】
【補正対象書類名】明細書
【補正対象項目名】００８１
【補正方法】削除
【補正の内容】